(57)【要約】【課題】低レベル放射性廃棄物などの地層処分に用いられる放射性廃棄物処分場において、廃棄体の処分施設形態、仮蓋の開閉及び移動、クレーンの配置等を工夫することで、廃棄体を効率良く埋設処分でき、処分施設・処分設備をコンパクトで簡易な構造とすることができる廃棄体処分施設・廃棄体処分方法を提供する。【解決手段】廃棄体を格納する単体サイロ１１を同一円周上に配置して平面視でドーナツ状サイロ群１２を構成し、そのドーナツ中心部に各単体サイロ１１に廃棄体を搬入する廃棄体搬入装置３０を円周方向に旋回可能に設置し、各単体サイロ１１の上部開口部を開閉する仮蓋４０をサイロ群１２の上を円周方向に走行可能に設置し、ドーナツ中心部に搬入した廃棄体を各単体サイロ１１内に仮蓋４０を開いて投入・定置し、仮蓋４０を閉じて放射能漏洩・雨水浸入を防止し、廃棄体が満杯になると隣の単位サイロ上へ移動させる。【選択図】図１
2010091284.tif 000002
【特許請求の範囲】
【請求項１】
放射性廃棄物処分場において廃棄体を埋設処分するための廃棄体処分施設であり、
廃棄体を格納する単体サイロを同一円周上に配置して構成される平面視でドーナツ状のサイロ群と、このドーナツ状のサイロ群の中心部に円周方向に旋回可能に設置されて各単体サイロに廃棄体を搬入する廃棄体搬入装置と、前記ドーナツ状のサイロ群の上を円周方向に走行可能に設置されて各単体サイロの上部開口部を開閉する蓋を有することを特徴とする放射性廃棄物処分場の廃棄体処分施設。
【請求項２】
放射性廃棄物処分場において廃棄体を埋設処分するための廃棄体処分施設であり、
廃棄体を格納する貯蔵室を同一円周上に配置して構成される平面視でドーナツ状のサイロと、このドーナツ状のサイロの中心部に円周方向に旋回可能に設置されて各貯蔵室に廃棄体を搬入する廃棄体搬入装置と、前記ドーナツ状のサイロの上を円周方向に走行可能に設置されて各貯蔵室の上部開口部を開閉する蓋を有することを特徴とする放射性廃棄物処分場の廃棄体処分施設。
【請求項３】
請求項１または請求項２のいずれかに記載の廃棄体処分施設において、ドーナツ状のサイロ群またはドーナツ状のサイロの上を円周方向に走行可能な天井クレーンを有することを特徴とする放射性廃棄物処分場の廃棄体処分施設。
【請求項４】
請求項１から請求項３までのいずれか一つに記載の廃棄体処分施設の単体サイロまたは貯蔵室を順次建設し、建設の終了した単体サイロまたは貯蔵室に対して廃棄体を搬入した後、当該単体サイロまたは貯蔵室の上部開口部を蓋により閉じ、蓋を開いて廃棄体を搬入する工程と蓋を閉じる工程を繰り返して単体サイロまたは貯蔵室が廃棄体で満杯になると、当該単体サイロまたは貯蔵室の上部開口部を蓋により閉塞することを特徴とする放射性廃棄物処分場の廃棄体処分方法。
【請求項５】
請求項４に記載の廃棄体処分方法において、ドーナツ状のサイロ群またはドーナツ状のサイロの中心部を廃棄体の貯蔵室として用いることを特徴とする放射性廃棄物処分場の廃棄体処分方法。
【発明の詳細な説明】
【技術分野】
【０００１】
本発明は、低レベル放射性廃棄物などの地層処分に用いられる放射性廃棄物処分場の廃棄体処分施設及び廃棄体処分方法に関するものである。
【背景技術】
【０００２】
原子力発電所から発生する放射能レベルの比較的低い低レベル放射性廃棄物は、セメント、アスファルト、プラスチックなどで固め、ドラム缶に詰めて密閉し、原子力発電所内の貯蔵庫に保管し、その後、低レベル放射性廃棄物処分場に搬送されて埋設処分される。
【０００３】
低レベル放射性廃棄物処分場においては、地表から比較的浅い地層中にコンクリートピットを設け、このコンクリートピット内に廃棄体のドラム缶を格納し、セメント系充填材を充填して密閉した後、コンクリートピットの周囲及び上部をベントナイト混合土により覆い、その上を所定厚さの覆土で覆うこと（浅地中処分）が計画されている。
【０００４】
なお、本発明に関連する放射性廃棄物の処分施設の先行技術としては、トンネル型処分施設にコンクリートピットを設置し、廃棄体を定置埋設する技術が提案されている（例えば特許文献１、２）。また、深さ数10ｍの地盤内に地下サイロに建設し、その中に廃棄体を収容する技術が提案されている（特許文献３参照）。
【０００５】
【特許文献１】特開２００２−１０７４９３号公報
【特許文献２】特開２００２−３４１０９３号公報
【特許文献３】特開平９−３０４５９６号公報
【発明の開示】
【発明が解決しようとする課題】
【０００６】
地表から比較的浅い地層中にコンクリートピットを設ける低レベル放射性廃棄物処分場においては、コンクリートピットの各貯蔵室に廃棄体のドラム缶を格納していく際、貯蔵室の上部開口を仮蓋で閉じて、貯蔵室から大気への放射能漏洩及び貯蔵室内への雨水浸入を防止する必要がある（廃棄体を投入・廃棄する期間中（約１０年間））。
【０００７】
ここで、仮蓋は貯蔵室に廃棄体を投入する際には、仮蓋を開け、投入が終了すれば、仮蓋を閉じる必要があり、また仮蓋を各貯蔵室で共用する場合には、仮蓋を隣の貯蔵室へ移動させる必要がある。
【０００８】
このような仮蓋の構造については、貯蔵室の上部開口を完全に閉塞するコンクリート製等の仮蓋の一部に廃棄体の投入口を設け、この投入口に開閉扉を設ける方式や、仮蓋自体を複数に分割して開閉させる方式など種々考えられるが、前者では、投入口の位置が固定されているため、投入位置を変えることができず、投入位置を変えるためには何らかの工夫が必要となり、また作業効率も低下するなどの課題がある。後者では、仮蓋の開閉機構や隣の貯蔵室への移動機構などが大掛かりな設備となるなどの課題がある。
【０００９】
本発明は、低レベル放射性廃棄物などの地層処分に用いられる放射性廃棄物処分場において、廃棄体の処分施設形態、仮蓋の開閉及び移動、クレーンの配置等を工夫することにより、廃棄体を効率良く埋設処分することができると共に、処分施設及び処分設備をコンパクトで簡易な構造とすることができる廃棄体処分施設及び廃棄体処分方法を提供することにある。
【課題を解決するための手段】
【００１０】
本発明の請求項１は、放射性廃棄物処分場において廃棄体を埋設処分するための廃棄体処分施設であり、廃棄体を格納する単体サイロを同一円周上に配置して構成される平面視でドーナツ状のサイロ群と、このドーナツ状のサイロ群の中心部に円周方向に旋回可能に設置されて各単体サイロに廃棄体を搬入する廃棄体搬入装置と、前記ドーナツ状のサイロ群の上を円周方向に走行可能に設置されて各単体サイロの上部開口部を開閉する蓋を有することを特徴とする放射性廃棄物処分場の廃棄体処分施設である（図１〜図３参照）。
【００１１】
単体サイロは、円筒形やその他の形状のコンクリート製等の貯蔵庫を用いることができる。このような単体サイロを複数互いに接するように、あるいは隙間をおいてドーナツ状に配置する。
【００１２】
また、廃棄体搬入装置は、例えばドーナツ中心部に設置したタワークレーンと、その上部から単体サイロの上方に水平に突出する搬送装置とから構成する。タワークレーンを旋回させることにより搬送装置の先端部を各単体サイロの上に位置させることができ、ドーナツ中心部に搬入した廃棄体を各単体サイロ内に投入することができる。廃棄体の投入のほか、蓋の開閉、単体サイロの閉鎖、各種材料の搬入搬出などに用いることもできる。
【００１３】
また、ドーナツ状のサイロ群の外周部と内周部にはそれぞれドーナツ中心を中心とする同心円のリング状の走行桁を設置し、走行桁上の走行レールにより蓋を円周方向に移動自在とし、蓋を開閉移動させ、あるいは隣の単位サイロ上に移設移動させる。蓋の移動方式は、自走式でもよいし、クレーンにより移動させる方式でもよい。また、外周部と内周部の走行桁をそれぞれ２条配置してもよく、門型の天井クレーンを蓋とは別に円周方向に移動可能に設置することができる。
【００１４】
また、蓋はコンクリート製等の蓋を用い、本設蓋とは別の仮蓋を用いてもよいし、本設蓋を用いてもよい。また、蓋は円周方向に２分割し、左右に開閉させる方式が好ましい。蓋は開く時、隣の単位サイロ上に移動させることができ、各単位サイロの開口率は最大１００％とすることができる。
【００１５】
本発明の請求項２は、放射性廃棄物処分場において廃棄体を埋設処分するための廃棄体処分施設であり、廃棄体を格納する貯蔵室を同一円周上に配置して構成される平面視でドーナツ状のサイロと、このドーナツ状のサイロの中心部に円周方向に旋回可能に設置されて各貯蔵室に廃棄体を搬入する廃棄体搬入装置と、前記ドーナツ状のサイロの上を円周方向に走行可能に設置されて各貯蔵室の上部開口部を開閉する蓋を有することを特徴とする放射性廃棄物処分場の廃棄体処分施設である（図４〜図６参照）。
【００１６】
このドーナツ状のサイロは内側側壁と外側側壁と隔壁による平面視で扇形の貯蔵室を円周方向に連続して形成するのが好ましい。貯蔵庫を密に配置できることから、全体の貯蔵量を増やすことができる。その他の、廃棄体搬入装置、蓋、天井クレーン、走行桁の構成等は、請求項１のサイロドーナツ配置方式のドーナツ状のサイロ群と同様である。
【００１７】
本発明の請求項３は、請求項１または請求項２のいずれかに記載の廃棄体処分施設において、ドーナツ状のサイロ群またはドーナツ状のサイロの上を円周方向に走行可能な天井クレーンを有することを特徴とする放射性廃棄物処分場の廃棄体処分施設である（図１〜図６参照）。
【００１８】
門型等の天井クレーンをリング状の走行桁上の走行レールにより円周方向に移動可能に配置し、操業時における蓋の開閉や廃棄体の投入・定置など、あるいは、サイロ建設時における機材・資材の搬入などに使用する。
【００１９】
以上のような構成の廃棄体処分施設において、ドーナツ状のサイロ群の複数の単位サイロまたはドーナツ状のサイロの複数の貯蔵室が同心円状に連続して配置されるため、蓋の開閉移動及びサイロ間や貯蔵室間の移設移動が容易となり、廃棄体を効率良く埋設処分することができる。また、施設形態がドーナツ状であり、さらに廃棄体の投入・定置、蓋の移動、換気等の設備などを各単位サイロまたは各貯蔵室で共有使用することが可能であり、処分施設及び処分設備をコンパクトで簡易な構造とすることができる。
【００２０】
本発明の請求項４は、請求項１から請求項３までのいずれか一つに記載の廃棄体処分施設の単体サイロまたは貯蔵室を順次建設し、建設の終了した単体サイロまたは貯蔵室に対して廃棄体を搬入した後、当該単体サイロまたは貯蔵室の上部開口部を蓋により閉じ、蓋を開いて廃棄体を搬入する工程と蓋を閉じる工程を繰り返して単体サイロまたは貯蔵室が廃棄体で満杯になると、当該単体サイロまたは貯蔵室の上部開口部を蓋により閉塞することを特徴とする放射性廃棄物処分場の廃棄体処分方法である（図１〜図６参照）。
【００２１】
地表から比較的浅い地層中にコンクリートピットを設ける低レベル放射性廃棄物処分場において、各単位サイロまたは各貯蔵室に廃棄体のドラム缶を格納していく際、単位サイロまたは貯蔵室の上部開口を蓋（仮蓋や本設蓋）で閉じて、単位サイロまたは貯蔵室から大気への放射能漏洩及び単位サイロまたは貯蔵室内への雨水浸入を防止することができる（廃棄体を投入・廃棄する期間中（約１０年間））。また、単位サイロまたは各貯蔵室の建設と併行して廃棄体の投入・定置等を行うことができ、廃棄体を効率良く埋設処分することが可能となる。
【００２２】
本発明の請求項５は、請求項４に記載の廃棄体処分方法において、ドーナツ状のサイロ群またはドーナツ状のサイロの中心部を廃棄体の貯蔵室として用いることを特徴とする放射性廃棄物処分場の廃棄体処分方法である。
【００２３】
各単位サイロまたは各貯蔵室を閉じ合わせた後、ドーナツ中心部のタワークレーン等を撤去すれば、ドーナツ中心部を廃棄体の貯蔵室スペースとして利用することができる。ドーナツ中心部を有効活用することにより、廃棄体処分施設の処分スペースを無駄なく活用することができる。
【発明の効果】
【００２４】
本発明は、以上のような構成からなるので、次のような効果が得られる。
【００２５】
（1）ドーナツ状のサイロ群の複数の単位サイロまたはドーナツ状のサイロの複数の貯蔵室が同心円状に連続して配置されるため、蓋の開閉移動及びサイロ間や貯蔵室間の移設移動を簡易な設備で容易に行うことができ、廃棄体を効率良く埋設処分することができる。
【００２６】
（2）施設形態がドーナツ状であり、さらに廃棄体の投入・定置、蓋の移動、換気等の設備などを各単位サイロまたは各貯蔵室で共有使用することが可能であり、処分施設及び処分設備をコンパクトで簡易な構造とすることができる。
【００２７】
（3）各単位サイロまたは各貯蔵室の開口率は最大１００％とすることができ、廃棄体を所定の位置に容易に定置することができる。
【００２８】
（4）ドーナツ中心に設置したタワークレーンにより廃棄体投入・蓋開閉・サイロ閉鎖・各種材料搬入搬出などを効率的に行うことができる。
【００２９】
（5）蓋の開閉を容易かつ迅速に行うことができ、単位サイロまたは貯蔵室から大気への放射能漏洩及び単位サイロまたは貯蔵室内への雨水浸入を確実に防止することができる。
【００３０】
（6）単位サイロまたは各貯蔵室の建設と併行して廃棄体の投入・定置等を容易に行うことができ、廃棄体を効率良く埋設処分することが可能となる。
【００３１】
（7）ドーナツ中心部を有効活用することにより、廃棄体処分施設の処分スペースを無駄なく活用することができる。
【発明を実施するための最良の形態】
【００３２】
以下、本発明を図示する実施形態に基づいて説明する。図１〜図３は低レベル放射性廃棄物の放射性廃棄物処分場における廃棄体処分施設の円筒サイロドーナツ配置方式の一例を示したものである。図４〜図６は大型ドーナツサイロ方式の一例を示したものである。
【００３３】
図１〜図６に示すように、地表から比較的浅い地層に処分空間１が掘削形成されており、この処分空間１内に円筒サイロドーナツ配置方式の廃棄体処分施設１０や大型ドーナツサイロ方式の廃棄体処分施設２０を建設し、低レベル放射性廃棄物をセメント等で固めて密閉したドラム缶の廃棄体を廃棄体処分施設１０、２０の貯蔵室としてのサイロ内に格納し、廃棄体処分施設１０、２０の周囲及び上部を埋め立て、その上を所定厚さの覆土で覆うことにより、廃棄体が埋設処分される。
【００３４】
図１〜図３の実施形態において、廃棄体処分施設１０は、主として、廃棄体を格納する単体サイロ１１を同一円周上に配置して構成される平面視でドーナツ状のサイロ群１２と、このドーナツ状のサイロ群１２の中心部に円周方向に旋回可能に設置されて各単体サイロ１１に廃棄体を搬入する廃棄体搬入装置３０と、ドーナツ状のサイロ群１２の上を円周方向に走行可能に設置されて各単体サイロ１１の上部開口部を開閉する仮蓋４０から構成されている。その他、ドーナツ状のサイロ群１２の上を円周方向に走行可能な天井クレーン５０、５１が設置されている。
【００３５】
単体サイロ１１は、図示例ではコンクリート製の円筒サイロであるが、その他の形状のサイロでもよい。この単体サイロ１１を複数（図示例では９基）、ドーナツ中心を中心とする同一円周上に互い接するように、あるいは隙間をおいて、配置する。
【００３６】
ドーナツ状のサイロ群１２の複数の単位サイロ１１が同心円状に連続して配置されるため、仮蓋４０の開閉移動及びサイロ間の移設移動を簡易な設備で容易に行うことができ、廃棄体を効率良く埋設処分することができる。また、施設形態がドーナツ状であり、さらに廃棄体の投入・定置、仮蓋４０の移動、換気等の設備などを各単位サイロ１１で共有使用することが可能であり、処分施設及び処分設備をコンパクトで簡易な構造とすることができる。
【００３７】
廃棄体搬入装置３０は、ドーナツ中心に設置したタワークレーン３１と、このタワークレーン３１の上部から単体サイロ１１の上方に水平に突出する搬送装置３２から構成されている。タワークレーン３１を旋回させることにより搬送装置３２の先端部を各単体サイロ１１の上に位置させることができ、各単体サイロ１１に廃棄体を投入することができる。また、この廃棄体の投入のほか、仮蓋４０の開閉、単体サイロ１１の閉鎖、各種材料の搬入搬出などに用いることもできる。このようなドーナツに沿って旋回するタワークレーン３１を用いれば、廃棄体投入・仮蓋開閉・サイロ閉鎖・各種材料搬入搬出などを効率的に行うことができる。
【００３８】
仮蓋４０を開閉移動・移設移動させ、天井クレーン５０、５１を移動させるため、ドーナツ状サイロ群１２の外側と内側にそれぞれ、ドーナツ中心を中心とする同心円のリング状の走行桁６０、６１を設置する。これら走行桁６０、６１は円周方向に間隔をおいて設置した支持架台６２により支持し、その上面が単体サイロ１１の天端レベルとほぼ一致するようにし、上面にリング状の走行レール(図示省略)を設置する。また、走行桁６０、６１はそれぞれ２条配置し、サイロ側の走行桁６０ａ、６１ａが仮蓋４０の移動用、走行桁６０ｂ、６１ｂが天井クレーン５０、５１の移動用とされている。
【００３９】
仮蓋４０は、一対のリング状の走行桁６０ａ、６１ａの走行レール上を走行するため、平面視で扇形とし、単位サイロ１１の上部開口部を完全に閉塞できるようにし、コンクリート製等の仮蓋４０によりサイロから大気への放射能漏洩及びサイロ内への雨水浸入を防止する。また、仮蓋４０は左右に２分割し、一対の扇形の分割蓋体を相互に接近・離隔する方向に開閉させ、開閉移動量を小さくして、迅速な開閉動作が得られるようにするのが好ましい。
【００４０】
また、仮蓋４０の下部には走行桁の走行レール上を走行する移動機構（サドル）を設け、自走式で仮蓋４０を開閉移動及び移設移動させる。また、自走式に限らず、天井クレーン５０あるいはタワークレーン３１により仮蓋４０を移動させてもよい。
【００４１】
仮蓋４０は開く時、隣の単位サイロ１１上に移動させることができ、各単位サイロ１１の開口率は最大１００％とすることができ、廃棄体を各単位サイロ１１内の所定の位置に容易に定置することができる。
【００４２】
天井クレーン５０、５１は一対のリング状の走行桁６０ｂ、６１ｂの走行レール上を走行する門型クレーンとされている。なお、天井クレーン５０は操業時における仮蓋４０の開閉や廃棄体の投入・定置などに用いられ、天井クレーン５１はサイロ建設時における機材・資材の搬入などに用いられる。
【００４３】
以上のような構成の廃棄体処分施設において、次のような手順で廃棄体の埋設処分が実施される。
【００４４】
（1）図２（ａ）に示すように、処分空間１の内部に単体サイロ１１を円周方向に順次建設していく。処分空間１には搬入路２が設けられており、サイロ建設用の機材や資材を搬入することができる。天井クレーン５１を用いて建設を行う。
【００４５】
(2）図２（ａ）に示すように、建設の終了した単体サイロ１１に対して仮蓋４０を設置すると共に廃棄体を搬入する。廃棄体は、搬入路２を利用し、サイロ未建設部の用地を横断して、ドーナツ中心部へ搬入することができる。廃棄体搬入装置３０により単体サイロ１１内に廃棄体を投入する。この際、仮蓋４０は左右に開いて廃棄体を投入し所定の位置に定置する。投入が終了すると、仮蓋４０を閉じて単体サイロ１１の上部開口部を閉塞する。
【００４６】
(3) 図２（ａ）に示すように、仮蓋４０を開いて廃棄体を搬入する工程と仮蓋４０を閉じる工程を繰り返して単体サイロ１１が廃棄体で満杯になると、この単体サイロ１１の上部開口部をコンクリート製等の本設蓋１３により閉塞する。仮蓋４０は一対のリング状の走行桁６０ａ、６１ａの走行レール上を移動させて隣の単位サイロ１１上に移設し、上記の廃棄体の搬入・定置の工程を繰り返す。なお、仮蓋４０を本設蓋として使用することもできる。
【００４７】
(4) 図２（ｂ）に示すように、単体サイロ１１がドーナツ状に連続して建設されると、各サイロの周辺を埋め戻す。各単体サイロ１１の周辺の厚さ約２ｍの部分は、長期の止水性を確保する必要があるため、ベントナイト混合土で埋め戻す。なお、このサイロ閉合後の廃棄体の搬入・定置は、サイロ群１２の外側に搬入装置を移動させて外側から行う。また、搬入路を地下トンネルに設置する、あるいはサイロ間に搬入部分の隙間を設けるなどしてもよい。
【００４８】
ドーナツ形状により、単位サイロ１１の建設と併行して廃棄体の投入・定置等を容易に行うことができ、廃棄体を効率良く埋設処分することが可能となる。
【００４９】
なお、この実施形態における仮蓋４０は、図３に示すように、屋根桁４１と厚さ約５０ｃｍ程度のコンクリート製の屋根板４２からなる板蓋屋根とされている。各屋根板４２を突き合わせて屋根を形成する場合には隙間ができるが、段違い構造で組み合わせれば、放射能が漏洩することはない。即ち、放射能は直進しかしないため、隙間が開いても放射能の直進を妨げる構造になっていれば、漏洩することはない。また、これに限らず、一体的な板状などの仮蓋でもよい。
【００５０】
次に図４〜図６に示す大型ドーナツサイロ方式の廃棄体処分施設２０は、廃棄体を格納する貯蔵室２１を同一円周上に配置して構成される平面視でドーナツ状のサイロ２２と、このドーナツ状のサイロ２２の中心部に円周方向に旋回可能に設置されて各貯蔵室２１に廃棄体を搬入する廃棄体搬入装置３０と、ドーナツ状のサイロ２２の上を円周方向に走行可能に設置されて各貯蔵室２１の上部開口部を開閉する仮蓋４０から構成されている。その他、ドーナツ状のサイロ２２の上を円周方向に走行可能な天井クレーン５０、５１が設置されている。
【００５１】
このドーナツ状のサイロ２２は内側側壁２３と外側側壁２４と隔壁２５により平面視で扇形の貯蔵室２１が円周方向に連続して形成される。円周方向に連続させて閉じ合わせてもよいし、閉じ合わせずに隙間を設け、廃棄体搬入のための搬入路が形成されるようにしてもよい。
【００５２】
廃棄体搬入装置３０、仮蓋４０、天井クレーン５０、５１、走行桁６０、６１の構成等は、図１の円筒サイロドーナツ配置方式と同様であり、同様の作用効果が得られる。廃棄体の埋設処分も同様に実施される。
【００５３】
即ち、図５に示すように、処分空間１の内部に貯蔵室２１を円周方向に順次建設していく。建設の終了した貯蔵室２１に対して仮蓋４０を設置すると共に廃棄体搬入装置３０により廃棄体を搬入・定置する。仮蓋４０を開いて廃棄体を搬入する工程と仮蓋４０を閉じる工程を繰り返して貯蔵室２１が廃棄体で満杯になると、その上部開口部をコンクリート製等の本設蓋１３により閉塞する。仮蓋４０を隣の貯蔵室２１上に移設し、上記の廃棄体の搬入・定置の工程を繰り返す。
【００５４】
また、図６に示すように、ドーナツ状のサイロ２２の中心部を廃棄体の貯蔵室２６として用いることもできる。ドーナツ状のサイロ２２を閉鎖した後、周辺を埋め戻し、タワークレーン３１を撤去した後、ドーナツ中心部貯蔵室２６を形成し、廃棄体を処分するスペースとして有効活用することが可能となる。これはドーナツ状のサイロ群１２でも同様であり、ドーナツ中心部を活用することができる。
【００５５】
なお、本発明は以上のような図示例に限定されないことはいうまでもない。
【図面の簡単な説明】
【００５６】
【図１】本発明の廃棄体処分施設の円筒サイロドーナツ配置方式の一例を示す斜視図である。
【図２】図１の廃棄体処分施設のサイロ建設時と埋め戻し時の状態を示す斜視図である。
【図３】仮蓋の一例を示す斜視図と断面図である。
【図４】本発明の廃棄体処分施設の大型ドーナツサイロ方式の一例を示す斜視図である。
【図５】図４の廃棄体処分施設のサイロ建設時の状態を示す斜視図である。
【図６】図４の廃棄体処分施設の閉合時の状態を示す斜視図である。
【符号の説明】
【００５７】
１……処分空間
２……搬入路
１０…円筒サイロドーナツ配置方式の廃棄体処分施設
１１…単体サイロ
１２…ドーナツ状のサイロ群
１３…本設蓋
２０…大型ドーナツサイロ方式の廃棄体処分施設
２１…貯蔵室
２２…ドーナツ状のサイロ
２３…内側側壁
２４…外側側壁
２５…隔壁
２６…ドーナツ中心部貯蔵室
３０…廃棄体搬入装置
３１…タワークレーン
３２…搬送装置
４０…仮蓋
４１…屋根桁
４２…屋根板
５０…天井クレーン
５１…天井クレーン
６０…走行桁
６１…走行桁
６２…支持架台
【図１】
2010091284.tif 000003
【図２】
2010091284.tif 000004
【図３】
2010091284.tif 000005
【図４】
2010091284.tif 000006
【図５】
2010091284.tif 000007
【図６】
2010091284.tif 000008